(57)【要約】      （修正有）【課題】不均一な振幅動作を起こし難くしたスピーカダンパをおよびスピーカダンパを用いたスピーカユニット提供する。【解決手段】スピーカダンパ１は、縦糸基準線Ｌ２及び横糸基準線Ｌ３上には、円弧部１２，１３を配置させ、中間基準線Ｌ１と直交するように直線部１１を配置させる。縦糸基準線及Ｌ２及び横糸基準線Ｌ３上で波部５を伸縮させ難いように調整し、中間基準線Ｌ１上で波部５を伸縮させ易いように調整し、スピーカダンパ１を全体に渡って均一に振幅動作させる。直線部１１や円弧部１２，１３の長さを変更することにより、スピーカダンパ１の大きさやダンパ基材４の特性に容易に対応させる。【選択図】図１
2016058787.tif 000002
【特許請求の範囲】
【請求項１】
縦糸と横糸とが交錯して織られた織材に樹脂を含浸してなるダンパ基材に、円形の中央開口と同心をなす複数本の波部からなる波群を有するスピーカダンパにおいて、
前記波群のうちの少なくとも１本の波部は、
前記縦糸と前記横糸が交差する点を結び前記中央開口の中心から延在する４本の中間基準線と交差して、前記中間基準線に対して直交して延在する４本の直線部と、
隣接する前記直線部の端部同士を結ぶと共に、前記中央開口の前記中心から前記縦糸に沿って延在する縦糸基準線と交差して、前記縦糸基準線上に中心を有する２本の第１の円弧部と、
隣接する前記直線部の端部同士を結ぶと共に、前記中央開口の前記中心から前記横糸に沿って延在する横糸基準線と交差して、前記横糸基準線上に中心を有する２本の第２の円弧部と、を有する矩形波部である、
スピーカダンパ。
【請求項２】
前記波群において、前記矩形波部の前記直線部の長さが、前記中央開口から遠ざかるにつれて短くなる請求項１記載のスピーカダンパ。
【請求項３】
前記波群において、前記矩形波部の前記直線部の長さが、前記中央開口から遠ざかるにつれて長くなる請求項１記載のスピーカダンパ。
【請求項４】
前記波群において、前記矩形波部の前記直線部の長さが、前記中央開口から遠ざかるにつれて長くなり、その後、さらに遠ざかるにつれて短くなる請求項１記載のスピーカダンパ。
【請求項５】
請求項１から請求項４の何れか一項に記載のスピーカダンパを用いた、スピーカユニット。
【発明の詳細な説明】
【技術分野】
【０００１】
本発明は、縦糸と横糸とが交錯して織られた織材に樹脂を含浸してなるダンパ基材に、複数本の波部が成形されているスピーカダンパおよびスピーカダンパを用いたスピーカユニットに関するものである。
【背景技術】
【０００２】
従来のスピーカダンパは、振幅動作に余裕をもたせるために波形状が採用され、この波の形状は、平面視した場合、同心円を描く形状が一般的であった。ダンパには、縦糸と横糸とで織込んだ布状の物が使用され、伸縮ができるように、プレスによって波部が成形されている。素材となる織材には樹脂が含浸され、このようなダンパ基材は、縦糸と横糸に織込まれた糸の性質や、織材の強度を強化するために使用される樹脂溶剤の影響により、糸が直角に交錯する方向と、糸に対して斜め４５度の方向と、で強度や柔軟性が異なってしまう。その結果、ダンパが伸縮動作を行う際に、前述した方向に対応して異なる伸縮動作を起こしていた。そのため、ダンパの伸縮動作を大きくさせようとすると、柔軟性のある方向では、湾曲してたわみ易いのに対して、柔軟性の少ない方向では、湾曲してたわみ難く、その結果として、歪んだ変形を起こす。このような歪んだ動きが、ダンパをスムーズに振幅動作し難くする要因になっている。
そこで、従来、このような問題を解決する技術として、特開平９−１５４１９９号公報がある。この公報に記載されたスピーカダンパは、ダンパ基材に波部をプレス成形するにあたって、糸に対して斜め４５°の方向でダンパ基材の潰れ量を多くして、この方向でスピーカダンパの剛性を高めている。
【先行技術文献】
【特許文献】
【０００３】
【特許文献１】特開平９−１５４１９９号公報
【発明の概要】
【発明が解決しようとする課題】
【０００４】
しかしながら、前述した従来のスピーカダンパにあっては、ダンパ基材に局所的な潰れ変形を余儀なくされ、潰す量に高い精度が要求されるので、潰す量が不均一になり易く、それによってスピーカダンパが不均一な振幅動作を起こし易くなってしまうといった問題点がある。
【０００５】
本発明は、簡単な構成で、不均一な振幅動作を起こし難くしたスピーカダンパおよびスピーカダンパを用いたスピーカユニットを提供することを目的とする。
【課題を解決するための手段】
【０００６】
本発明は、縦糸が交錯して織られた織材に樹脂を含浸してなるダンパ基材に、円形の中央開口と同心をなす複数本の波部からなる波群を有するスピーカダンパにおいて、
前記波群のうちの少なくとも１本の波部は、
前記縦糸と前記横糸が交差する点を結び前記中央開口の中心から延在する４本の中間基準線と交差して、この中間基準線に対して直交して延在する４本の直線部と、
隣接する前記直線部の端部同士を結ぶと共に、前記中央開口の前記中心から前記縦糸に沿って延在する縦糸基準線と交差して、前記縦糸基準線上に中心を有する２本の第１の円弧部と、
隣接する前記直線部の端部同士を結ぶと共に、前記中央開口の前記中心から前記横糸に沿って延在する横糸基準線上と交差して、前記横糸基準線上に中心を有する２本の第２の円弧部と、を有する矩形波部である。
【発明の効果】
【０００７】
本発明によれば、簡単な構成で、不均一な振幅動作を起こし難くできる。
【図面の簡単な説明】
【０００８】
【図１】本発明に係るスピーカダンパの第１の実施形態を示す平面図及び斜視図である。
【図２】本発明に係るスピーカダンパの第２の実施形態を示す平面図及び斜視図である。
【図３】本発明に係るスピーカダンパの第３の実施形態を示す平面図及び斜視図である。
【図４】本発明に係るスピーカダンパの第４の実施形態を示す平面図及び斜視図である。
【発明を実施するための形態】
【０００９】
以下、図面を参照しつつ本発明に係るスピーカダンパの好適な実施形態について詳細に説明する。なお、本発明に係るスピーカユニットは、以下に説明した各々の実施形態に基づくスピーカダンパを適用したことを特徴とするスピーカユニットである。
【００１０】
［第１の実施形態］
図１に示されるように、スピーカダンパ１には、縦糸２と横糸３が交錯する平織又はあや織からなる織材４ａに、樹脂を含浸させてなるダンパ素材４が利用され、このダンパ素材４にプレス成形を施すことにより複数の環状な波部５が形成される。なお、符合Ｘは、縦糸２の延在方向を示し、符合Ｙは、横糸３の延在方向を示し、縦糸２と横糸３は９０度の角度をもって交錯する。縦糸２と横糸３の角度は、９０度に限定されないが、以下各々の実施形態は、縦糸２と横糸３の角度を９０度として説明する。
【００１１】
円形をなすスピーカダンパ１には、ボイスコイルボビン（不図示）が挿入されかつ固定される円形の中央開口７が設けられていると共に、この中央開口７の近傍からスピーカダンパ１の外周の近傍に渡って波群８が設けられている。各波部５は、断面Ｃ字状又は断面Ｕ字状を有すると共に、スピーカダンパ１の表裏で突出する。波部５がスピーカダンパ１の径方向で連続することによって、波群８が構成されている。なお、図１（ａ）において、山の頂部は実線で示されている。
【００１２】
波群８は、矩形波部１０を少なくとも１本含む。この矩形波部１０の４本の直線部１１は、縦糸２と横糸３が交差する点を結び、中央開口７の中心Ｒから延在する４本の中間基準線Ｌ１に対して直交して延在する。中間基準線Ｌ１は、本実施形態においては、中央開口７の中心から縦糸２と横糸３に対して４５度の角度で延在する。
【００１３】
さらに、矩形波部１０の２本の第１の円弧部１２は、隣接する直線部１１の端部１１ａ，１１ｂ同士を結ぶと共に、中央開口７の中心Ｒから縦糸２に沿って延在する縦糸基準線Ｌ２と交差して、縦糸基準線Ｌ２上に中心を有する。
【００１４】
さらに、矩形波部１０の２本の第２の円弧部１３は、隣接する直線部１１の端部１１ｃ，１１ｄ同士を結ぶと共に、中央開口７の中心Ｒから横糸３に沿って延在する横糸基準線Ｌ３と交差して、横糸基準線Ｌ３上に中心を有する。
【００１５】
波群８において、矩形波部１０の直線部１１の長さが、中央開口７から遠ざかるにつれて短くなる。また、互いに直線部１１は、平行に延在している。そして、直線部１１と第１の円弧部１２との境界を中央開口７側から外周側へと結んだ境界線Ｓ１と、直線部１１と第２の円弧部１３との境界を中央開口７側から外周側へと結んだ境界線Ｓ２とで挟まれた部分に直線部１１がそれぞれ配置されている。
【００１６】
図１に示されるような波群８では、中央開口７に隣接して矩形波部１０Ａが配置されると共に、外周に隣接して円形の波部１４が配置されている。そして、波群８は、中央開口７から外周に向かって直線部１１が短くなることで、波部５の形状が、矩形波部１０Ａから円形の波部１４に徐々に変移していく。
【００１７】
同心円状の波部をもった一般的なスピーカダンパは、縦糸基準線Ｌ２及び横糸基準線Ｌ３上で波部が伸縮し易いのに対して、中間基準線Ｌ１上で波部が伸縮し難い。その現象に着目して、前述したスピーカダンパ１では、縦糸基準線Ｌ２及び横糸基準線Ｌ３上には、円弧部１２，１３を配置させ、中間基準線Ｌ１と直交するように直線部１１を配置させている。このような構成を採用することで、従来の同心円状の波部に比べて、縦糸基準線及Ｌ２及び横糸基準線Ｌ３上で波部５を伸縮させ難いように調整し、中間基準線Ｌ１上で波部５を伸縮させ易いように調整することができる。
【００１８】
これによって、簡単な構成をもって、スピーカダンパ１を全体に渡って均一に振幅動作させることができる。特に、大型のスピーカダンパ１の場合、縦糸２と横糸３の繊維径が大きくなり、ダンパ基材４自体の剛性が高まると同時に、振幅動作が大きいので、中間基準線Ｌ１、縦糸基準線Ｌ２、横糸基準線Ｌ３上で波部５の伸縮に差が生じ易いが、前述したスピーカダンパ１のような構成を採用することで、直線部１１や円弧部１２，１３の長さを適宜変更することにより、スピーカダンパ１の大きさやダンパ素材４の特性に容易に対応させることが可能となる。
【００１９】
［第２の実施形態］
図２に示されるように、スピーカダンパ１Ａの波群２８において、矩形波部２０の直線部２１の長さが、中央開口７から遠ざかるにつれて長くなる。また、互いの直線部２１は、平行に延在している。そして、直線部２１と第１の円弧部２２との境界を中央開口７側から外周側へと結んだ境界線Ｓ１と、直線部２１と第２の円弧部２３との境界を中央開口７側から外周側へと結んだ境界線Ｓ２とで挟まれた部分に直線部２１がそれぞれ配置されている。
【００２０】
図２に示されるような波群２８では、中央開口７に隣接して円形の波部２４が配置されると共に、外周に隣接して矩形波部２０Ａが配置されている。そして、波群８は、中央開口７から外周に向かって直線部２１が長くなることで、円形の波部２４が矩形波部２０Ａに徐々に変移していく。
【００２１】
［第３の実施形態］
図３に示されるように、スピーカダンパ１Ｂの波群３８において、矩形波部３０の直線部３１の長さが、中央開口７から遠ざかっても同じである。また、互いの直線部３１は、平行に延在している。そして、直線部３１と第１の円弧部３２との境界を中央開口７側から外周側へと結んだ境界線Ｓ１と、直線部３１と第２の円弧部３３との境界を中央開口７側から外周側へと結んだ境界線Ｓ２とで挟まれた部分に直線部３１がそれぞれ配置されている。
【００２２】
図３に示されるような波群３８では、中央開口７に隣接して矩形波部３０Ａが配置されると共に、外周に隣接して矩形波部３０Ｂが配置されている。そして、波群３８は、中央開口７から外周に向かって直線部２１の長さが徐々に長くなり、矩形波部３０Ａが徐々に大きくなるように変移していく。
【００２３】
［第４の実施形態］
図４に示されるように、スピーカダンパ１Ｃの波群４８において、矩形波部４０の直線部４１の長さが、中央開口７から遠ざかるにつれて長くなり、その後、さらに遠ざかるにつれて短くなる。また、互いの直線部４１は、平行に延在している。そして、直線部４１と第１の円弧部４２との境界を中央開口７側から外周側へと結んだ「く」の字状の境界線Ｓ１と、直線部４１と第２の円弧部４３との境界を中央開口７側から外周側へと結んだ「く」の字状の境界線Ｓ２とで挟まれた部分に直線部４１がそれぞれ配置されている。
【００２４】
図４に示されるような波群４８では、中央開口７に隣接して円形の波部４４が配置されると共に、外周に隣接して円形の波部４５が配置され、最も内側に位置する円形の波部４４と最も外側に位置する円形の波部４５との略中間に、最も長い直線部４１Ａが配置されている。そして、波群４８において、矩形波部４０の直線部４１の長さは、最も内側の直線部４１Ｂから中間に位置する最も長い直線部４１Ａに向かって徐々に長く変移すると共に、最も長い直線部４１Ａから、最も外側の直線部４１Ｃに向かって徐々に短くなる。
【００２５】
その結果、波群４８は、矩形波部４０を介して内側に位置する小さな円形の波部４４から外側に位置する大きな円形の波部４５に変移していく。
【００２６】
本発明は、前述した実施形態に限定されず、本発明の要旨を逸脱しない範囲で、下記のような種々の変形が可能である。
【００２７】
例えば、前述した直線部は、実質的な直線であれば良く、多少湾曲していても良い。
【符号の説明】
【００２８】
１，１Ａ，１Ｂ，１Ｃ…スピーカダンパ  ２…縦糸  ３…横糸  ４…ダンパ基材  ４ａ…織材  ５…波部  ７…中央開口  ８，２８，３８，４８…波群  １０，２０，２０Ａ，３０，３０Ａ，３０Ｂ…矩形波部  １１，２１，３１，４１，４１Ａ，４１Ｂ，４１Ｃ…直線部  １２，２２，３２，４２…第１の円弧部  １３，２３，３３，４３…第２の円弧部  １４，２４，４４，４５…円形の波部  Ｒ…中央開口の中心  Ｌ１…中間基準線  Ｌ２…縦糸基準線  Ｌ３…横糸基準線
【図１】
2016058787.tif 000003
【図２】
2016058787.tif 000004
【図３】
2016058787.tif 000005
【図４】
2016058787.tif 000006